(57)【要約】      （修正有）【課題】腰部に無理な負担がかからないので非常に安全であり、操作が簡単で非常に扱いやすい腰部を回動自在とした健康器を提供する。【解決手段】上半身を支える第１ベッド１２と、下半身を支える第２ベッド１３と、両者を回動自在に連結する接続手段１４とを備え、第１ベッド１２と第２ベッド１３とを回動自在に連結する接続手段１４は、第１ベッド１２の第２ベッド１３側の端部に取り付けられた縦パイプ２３と、第２ベッド１３の下面に長さ方向に沿って取り付けられ、第１ベッド１２側の端部において下向きの屈曲部２５を形成した支持バー２４とを備え、下半身を支える第２ベッド１３は、支持バー２４の屈曲部２５を第１ベッド１２端部に取り付けた縦パイプ２３にはめ込んで、第１ベッド１２と同一平面上に支持され、かつ支持バー２４の屈曲部２５を中心軸として回動自在であるようにしたことを特徴とする。【選択図】図５
0003148427.tif 000002
【実用新案登録請求の範囲】
【請求項１】
上半身を支える第１ベッドと、下半身を支える第２ベッドと、両者を回動自在に連結する接続手段とを備え、
前記上半身を支える前記第１ベッドは、前記第２ベッドのほぼ先端まで延びる支持ベースと、該支持ベースの第１ベッドに対応して立設した支持フレームと、該支持フレーム上に搭載された第１ベッドとで構成され、
前記第１ベッドと第２ベッドとを回動自在に連結する接続手段は、第１ベッドの第２ベッド側の端部に取り付けられた縦パイプと、第２ベッドの下面に長さ方向に沿って取り付けられ、第１ベッド側の端部において下向きの屈曲部を形成した支持バーとを備え、
前記下半身を支える第２ベッドは、前記支持バーの屈曲部を前記第１ベッド端部に取り付けた縦パイプにはめ込んで、前記第１ベッドと同一平面上に支持され、かつ前記支持バーの屈曲部を中心軸として回動自在であるようにしたことを特徴とする腰部を回動自在とした健康器。
【請求項２】
前記第１ベッドと第２ベッドとを回動自在に連結する接続手段が、第２ベッドの下面に長さ方向に沿って取り付けられた横パイプを有し、端部に下向きの屈曲部を形成した支持バーを該横パイプにはめ込むことによって前記第２ベッドと支持バーとを着脱可能としたことを特徴とする請求項１に記載の腰部を回動自在とした健康器。
【請求項３】
前記第２ベッドが、利用者の下半身の両側に一対のハンドルを立設されていることを特徴とする請求項１に記載の腰部を回動自在とした健康器。
【請求項４】
前記第２ベッドが、下端にキャスタを取り付けた支持脚を備えていることを特徴とする請求項１に記載の腰部を回動自在とした健康器。
【請求項５】
前記第１ベッドおよび第２ベッドの隣接する端面が、それぞれ所定半径の円弧状に形成されていることを特徴とする請求項１に記載の腰部を回動自在とした健康器。
【請求項６】
前記縦パイプが、その内部底面にボールを装着され、該ボール上に前記支持バーの屈曲部を搭載することによって軸受として機能するよう構成されていることを特徴とする請求項１に記載の腰部を回動自在とした健康器。
【考案の詳細な説明】
【技術分野】
【０００１】
この考案は簡単な構造で腰を伸ばしたり、腰を左右に振ったりすることができるとともに、腰痛の緩和やウエストのシャイプアップを図ることができる腰部を回動自在とした健康器に関する。
【背景技術】
【０００２】
従来の腰部を可動とした機器としては、実開昭５９−５３０３１号公報（特許文献１参照）がある。これは、患者の腰部を宙吊りの状態にする上下動可能な中間段部を備えた腰椎亜脱臼強制装置である。
【０００３】
また、特開２０００−２３７２２２号公報（特許文献２参照）には、患者を載せる寝台Ａが、上半身部用台と臀部用台と、下肢部を載せる脚部用台とに分割形成され、さらに、前記臀部用台および脚部用台を患者の身長方向に牽引する牽引手段と、前記臀部用台を患者の身長方向に対し垂直面で患者の背骨軸をほぼ中心に回転または半転揺動させるローリング手段とを備えた腰痛治療機が示されている。
【０００４】
これらの腰椎亜脱臼強制装置や腰痛治療機以外にも、立位や座位、仰臥位置において患者の上半身と下半身とをモータ等で強制的に牽引するものが利用されているが、いずれも非常に高価であり、また腰部に無理な負担がかかりやすく危険性であり、操作が複雑で簡便に利用できるようにはなっていなかった。
【特許文献１】実開昭５９−５３０３１号公報
【特許文献２】特開２０００−２３７２２２号公報
【考案の開示】
【考案が解決しようとする課題】
【０００５】
すなわち、上記従来の腰椎亜脱臼強制装置や腰痛治療機においては上半身部分と下半身部分とを分離し、その中間部を昇降可能としたりローリング可能としているが、いずれも分離した上半身部分と下半身部分とは決まった軸線の上にあり、上半身に対して下半身をスイング（左右に振る）できるようにはなっていなかった。
【０００６】
この考案は、上記のような実情に鑑みて、腰部に無理な負担がかからないので非常に安全であり、操作が簡単で非常に扱いやすい腰部を回動自在とした健康器を提供することを目的とする。
【課題を解決するための手段】
【０００７】
上記の目的を達成するために、この考案の腰部を回動自在とした健康器は、
上半身を支える第１ベッドと、下半身を支える第２ベッドと、両者を回動自在に連結する接続手段とを備え、
前記上半身を支える前記第１ベッドは、前記第２ベッドのほぼ先端まで延びる支持ベースと、該支持ベースの第１ベッドに対応して立設した支持フレームと、該支持フレーム上に搭載された第１ベッドとで構成され、
前記第１ベッドと第２ベッドとを回動自在に連結する接続手段は、第１ベッドの第２ベッド側の端部に取り付けられた縦パイプと、第２ベッドの下面に長さ方向に沿って取り付けられ、第１ベッド側の端部において下向きの屈曲部を形成した支持バーとを備え、
前記下半身を支える第２ベッドは、前記支持バーの屈曲部を前記第１ベッド端部に取り付けた縦パイプにはめ込んで、前記第１ベッドと同一平面上に支持され、かつ前記支持バーの屈曲部を中心軸として回動自在であるようにしたことを特徴とするものである。
【０００８】
この考案の腰部を回動自在とした健康器は、前記第１ベッドと第２ベッドとを回動自在に連結する接続手段が、第２ベッドの下面に長さ方向に沿って取り付けられた横パイプを有し、端部に下向きの屈曲部を形成した支持バーを該横パイプにはめ込むことによって前記第２ベッドと支持バーとを着脱可能としたことをも特徴とするものである。
【０００９】
この考案の腰部を回動自在とした健康器は、前記第２ベッドが、利用者の下半身の両側に一対のハンドルを立設されていることをも特徴とするものである。
【００１０】
この考案の腰部を回動自在とした健康器は、前記第２ベッドが、下端にキャスタを取り付けた支持脚を備えていることをも特徴とするものである。
【００１１】
この考案の腰部を回動自在とした健康器は、前記第１ベッドおよび第２ベッドの隣接する端面が、それぞれ所定半径の円弧状に形成されていることをも特徴とするものである。
【００１２】
この考案の腰部を回動自在とした健康器は、前記縦パイプが、その内部底面にボールを装着され、該ボール上に前記支持バーの屈曲部を搭載することによって軸受として機能するよう構成されていることをも特徴とするものである。
【考案の効果】
【００１３】
以上説明したように、この考案の腰部を回動自在とした健康器によれば、棒状のハンドルを握って自分の力で腰部を伸ばしたり、左右に振ったり、また回転させたりすることができるので、利用者の腰部に優しい動きの運動を行うことができ、腰部に無理な負担をかけることがない。
【００１４】
加えて、非常に簡単な構造で、しかも動力源を必要としないので大幅な原価低減を図ることが可能である。
【考案を実施するための最良の形態】
【００１５】
次に、この考案の腰部を回動自在とした健康器の実施の形態を、図面に基いて詳細に説明する。
図１はこの考案の腰部を回動自在とした健康器の１実施例を示す側面図、図２はその正面シ図、図３はその平面図、図４は支持バーの側面図、図５は健康器の横振りにおける操作状態を示す側面図、図６はその平面図、図７は健康器のローリングにおける操作状態を示す正面図である。
また、図８はこの考案の腰部を回動自在とした健康器の他の実施例を示す平面図、図９はその側面図、図１０は支持バーの側面図、図１１は健康器の操作状態を示す平面図である。
【００１６】
図１ないし図３において、腰部を回動自在とした健康器１１は、上半身を支える第１ベッド１２と、下半身を支える第２ベッド１３と、両者を回動自在に連結する接続手段１４とを備えている。１５は、利用者の腰回りに装着する腰ベルトで、上半身を支える第１ベッド１２上の第２ベッド１３に近い側に取り付けられている。
まず、前記上半身を支える前記第１ベッド１２は、前記第２ベッド１３のほぼ先端まで延びる支持ベース２１と、該支持ベース２１の第１ベッド１２に対応して立設した支持フレーム２２と、該支持フレーム２２上に搭載された第１ベッド１２とで構成されている。
【００１７】
次に、前記第１ベッド１２と第２ベッド１３とを回動自在に連結する接続手段１４は、第１ベッド１２の第２ベッド１３側の端部に取り付けられた縦パイプ２３と、第２ベッド１３の下面に長さ方向に沿って取り付けられ、第１ベッド１２側の端部において下向きの屈曲部２５を形成した支持バー２４とを備えている。
また、前記下半身を支える第２ベッド１３は、前記支持バー２４の屈曲部２５を前記第１ベッド１２端部に取り付けた縦パイプ２３にはめ込んで、前記第１ベッド１２と同一平面上に支持されており、かつ前記支持バー２４の屈曲部２５を中心軸として左右に横振りすることができる。
【００１８】
さらに前記第１ベッド１２と第２ベッド１３とを回動自在に連結する接続手段１４は、図４に示すように、第２ベッド１３の下面に長さ方向に沿って固定された横パイプ２６を有しており、前記支持バー２４を該横パイプ２６にはめ込むことによって前記第２ベッド１３と支持バー２４とを着脱可能に取り付けることができる。
このとき前記第２ベッド１３は、前記支持バー２４を前記第２ベッド１３の下面に取り付けた横パイプ２６に挿入して支持されているので、前記支持バー２４を中心としてローリング可能に形成されている。
【００１９】
前記第２ベッド１３にはまた、利用者の下半身の両側に当たる位置に一対の棒状ハンドル３１が立設されている。
したがって、棒状のハンドル３１を握って腰部を伸ばしたり、左右にスイング状に振ったり、またローリング状に回転させたりすることを自分の力で加減しながらできるので、利用者の腰部に優しい運動を行うことができ、したがって腰部に無理な負担をかけることがない。
【００２０】
なお、前記縦パイプ２３の内部底面にボール３２を装着しておけば、該ボール３２上に前記支持バー２４の屈曲部２５を搭載することによって軸受として機能するよう構成することができる。
もちろん、前記第２ベッド１３には、下端にキャスタ３４を取り付けた支持脚３３を取り付けておくこともできる。
【００２１】
前記第１ベッド１２および第２ベッド１３の隣接する端面は、それぞれ所定半径の円弧状に形成しておけば、第１ベッド１２に対し前記第２ベッド１３を前記支持バー２４の屈曲部２５を中心として左右に振った場合でも、何ら衝突することなく可動閾を飛躍的に広げることができる。
【００２２】
この考案の腰部を回動自在とした健康器を使用するに際しては、図５に示すように利用者は第１ベッド１２及び第２ベッド１３の上に横になり、腰ベルト１５を装着する。
その上で、両手で棒状のハンドル３１を握って腕を伸ばすと、腰椎部分が牽引された状態となって腰が伸ばされる。
また、両手で棒状のハンドル３１を握って左右の腕を互いに伸ばしたり縮めたりすることによって、図６に示すように第２ベッド１３が左右に振られ、同時に利用者の腰も左右に振られることなる。
また、図７に示すように、下半身を捻るように動かすことにより、第２ベッド１３がローリング状に回転することとなる。
このような動きで、利用者は腹筋が鍛えられたり、また腰部の不要な脂肪が燃焼してウエストが縛れるようになるのである。
【００２３】
図８ないし図１１はこの考案の腰部を回動自在とした健康器の他の実施例を示すものであり、図８及び図９において腰部を回動自在とした健康器４１は、上半身を支える第１ベッド４２と、下半身を支える第２ベッド４３と、両者を回動自在に連結する接続手段４４とを備えている。４５は、利用者の腰回りに装着する腰ベルトで、上半身を支える第１ベッド４２上の第２ベッド４３に近い側に取り付けられている。また４６は足先を搭載する足載せ台である。
前記上半身を支える前記第１ベッド４２は、前記第２ベッド４３のほぼ先端まで延びる支持ベース５１と、該支持ベース５１の第１ベッド４２に対応して立設した支持フレーム５２と、該支持フレーム５２上に搭載された第１ベッド４２とで構成されている。
【００２４】
前記第１ベッド４２と第２ベッド４３とを回動自在に連結する接続手段４４は、第１ベッド４２の第２ベッド４３側の端部に取り付けられた縦パイプ５３と、第２ベッド４３の下面に長さ方向に沿って取り付けられ、第１ベッド４２側の端部において下向きの屈曲部５５を形成した支持バー５４とを備えている。
また、前記下半身を支える第２ベッド４３は、前記支持バー５４の屈曲部５５を前記第１ベッド４２端部に取り付けた縦パイプ５３にはめ込んで、前記第１ベッド４２と同一平面上に支持されており、かつ前記支持バー５４の屈曲部５５を中心軸として左右に横振りすることができる。
【００２５】
さらに前記第１ベッド５２と第２ベッド５３とを回動自在に連結する接続手段４４は、図１０に示すように、第２ベッド４３の下面に長さ方向に沿って固定された横パイプ５６を有しており、前記支持バー５４を該横パイプ５６にはめ込むことによって前記第２ベッド４３と支持バー５４とを着脱可能に取り付けることができる。
このとき前記第２ベッド４３は、前記支持バー５４を前記第２ベッド４３の下面に取り付けた横パイプ５６に挿入して支持されているので、前記支持バー５４を中心としてローリング可能に形成されている。
図１０において５７は、足先を搭載する足載せ台４６の下面に取り付けられた副横パイプであり、前記横パイプ５６と該副横パイプ５７との接合部位には半円形の切欠き５８，５９が形成されていて、支持バー５４上で該切欠き５８，５９が係合することによって足載せ台４６は第２ベッド４３と連動するようになっている。
【００２６】
前記第２ベッド４３にはまた、利用者の下半身の両側に当たる位置に一対の棒状ハンドル６１が立設されている。
したがって、棒状のハンドル６１を握って腰部を伸ばしたり、左右にスイング状に振ったり、またローリング状に回転させたりすることを自分の力で加減しながらできるので、利用者の腰部に優しい運動を行うことができ、したがって腰部に無理な負担をかけることがない。
【００２７】
また、図１１のように前記足載せ台４６を支持バー５４から抜き取ると、利用者の両足が浮いた状態となるので、そのまま両足を無理に持ち上げることをしなくても腹筋を鍛えることができる。
【産業上の利用可能性】
【００２８】
以上説明したように、この考案の腰部を回動自在とした健康器によれば、腰部に腰痛等の障害を有する利用者のみならず、近年のメタボリック症候群の解消を図る利用者においても、何ら変更を加えることなく利用することができる。
もちろん、この考案のこの考案の腰部を回動自在とした健康器は、目的を逸脱しない範囲で種々の用途に応用することができる。
【図面の簡単な説明】
【００２９】
【図１】この考案の腰部を回動自在とした健康器の１実施例を示す側面図である。
【図２】その正面シ図である。
【図３】その平面図である。
【図４】支持バーの側面図である。
【図５】健康器の横振りにおける操作状態を示す側面図である。
【図６】その平面図である。
【図７】健康器のローリングにおける操作状態を示す正面図である。
【図８】この考案の腰部を回動自在とした健康器の他の実施例を示す平面図である。
【図９】その側面図である。
【図１０】支持バーの側面図である。
【図１１】健康器の操作状態を示す平面図である。
【符号の説明】
【００３０】
１１  腰部を回動自在とした健康器
１２  第１ベッド
１３  第２ベッド
１４  接続手段
１５  腰ベルト
２１  支持ベース
２２  支持フレーム
２３  縦パイプ
２４  支持バー
２５  屈曲部
２６  横パイプ
３１  棒状ハンドル
３２  ボール
３３  支持脚
３４  キャスタ
４１  健康器
４２  第１ベッド
４３  第２ベッド
４４  接続手段
４５  腰ベルト
４６  足載せ台
５１  支持ベース
５２  支持フレーム
５３  縦パイプ
５４  支持バー
５５  屈曲部
５６  横パイプ
５７  副横パイプ
５８，５９  半円形の切欠き
６１  棒状ハンドル
【図１】
0003148427.tif 000003
【図２】
0003148427.tif 000004
【図３】
0003148427.tif 000005
【図４】
0003148427.tif 000006
【図５】
0003148427.tif 000007
【図６】
0003148427.tif 000008
【図７】
0003148427.tif 000009
【図８】
0003148427.tif 000010
【図９】
0003148427.tif 000011
【図１０】
0003148427.tif 000012
【図１１】
0003148427.tif 000013